(57)【要約】【課題】小型で放熱効果が高い色順次出力の光源装置を提供する。【解決手段】回転する円筒形状の回転部１１ａの外周の略同一周上に、Ｒ色光を発するＬＥＤ１、Ｇ色光を発するＬＥＤ２、およびＢ色光を発するＬＥＤ３（不図示）をそれぞれ配設する。回転部１１ａを回転させながら、ＬＥＤ１〜ＬＥＤ３を色順次に発光させる。ＬＥＤ１〜ＬＥＤ３をそれぞれ時分割で発光させるので、全ＬＥＤを同時に常時発光する場合に比べて発熱量、消費電力が抑えられる。回転部１１ａの回転によってＬＥＤ１〜ＬＥＤ３の周囲に気流を生じさせる。【選択図】図２
2007134269.tif 000002
【特許請求の範囲】
【請求項１】
回転可能な円筒部材と、
前記円筒部材の外周に配設され、前記円筒部材の外径方向に第１の色の光を発する第１発光素子と、
前記円筒部材上で前記第１発光素子と同一周上に配設され、前記円筒部材の外径方向に前記第１の色と異なる第２の色の光を発する第２発光素子と、
円筒軸を回転軸として前記円筒部材を回転させる回転手段と、
前記円筒部材の回転に伴い、前記第１発光素子または前記第２発光素子からの光が所定の外径方向へ色順次で出力されるように前記第１発光素子および前記第２発光素子を発光制御する制御手段とを備えることを特徴とする光源装置。
【請求項２】
回転可能な円筒部材と、
前記円筒部材の窓に配設され、第１の色の光を透過する第１色フィルタと、
前記円筒部材において前記第１色フィルタと同一周上の窓に配設され、前記第１の色と異なる第２の色の光を透過する第２色フィルタと、
前記円筒部材の内周に配設される羽根部材と、
前記第１の色および前記第２の色の成分を含む光を、前記第１色フィルタまたは前記第２色フィルタを透過するように前記円筒部材の所定の外径方向へ発する発光手段と、
円筒軸を回転軸として前記円筒部材を回転させる回転手段とを備え、
前記円筒部材の回転に伴い、前記発光手段からの光が前記外径方向へ色順次で出力されることを特徴とする光源装置。
【請求項３】
回転可能な円筒部材と、
前記円筒部材の内周に配設され、前記円筒部材の内径方向に第１の色の光を発する第１発光素子と、
前記円筒部材内で前記第１発光素子と同一周上に配設され、前記円筒部材の内径方向に前記第１の色と異なる第２の色の光を発する第２発光素子と、
円筒軸を回転軸として前記円筒部材を回転させる回転手段と、
前記円筒部材の回転に伴い、前記第１発光素子または前記第２発光素子からの光が前記円筒軸方向へ色順次で出力されるように前記第１発光素子および前記第２発光素子からの光を折り曲げる反射部材とを備えることを特徴とする光源装置。
【請求項４】
円筒部材と、
前記円筒部材の内周に配設され、前記円筒部材の内径方向に第１の色の光を発する第１発光素子と、
前記円筒部材内で前記第１発光素子と同一周上に配設され、前記円筒部材の内径方向に前記第１の色と異なる第２の色の光を発する第２発光素子と、
円筒軸を回転軸として回転し、この回転に伴って前記第１発光素子または前記第２発光素子からの光が前記円筒方向へ色順次で出力されるように前記第１発光素子および前記第２発光素子からの光を折り曲げる反射部材とを備えることを特徴とする光源装置。
【発明の詳細な説明】
【技術分野】
【０００１】
本発明は、異なる色の光を色順次に切替えて出力する色順次光源に関する。
【背景技術】
【０００２】
ＲＧＢ光などの複数色の光を順番に切替えて発光させる光源が知られている（特許文献１参照）。特許文献１によれば、回転可能に構成される円盤の同一円周に沿ってＲ色光を発するＬＥＤ、Ｇ色光を発するＬＥＤ、およびＢ色光を発するＬＥＤがそれぞれ配設され、円盤上の発光領域に対向して円柱状の導光部材が設けられている。円盤が回転すると、各色のＬＥＤからの光が導光部材を介して色順次で出力される。
【０００３】
【特許文献１】特開２００５−８４３０１号公報
【発明の開示】
【発明が解決しようとする課題】
【０００４】
特許文献１の光源をさらに小型化する場合、円盤の径を小さくし、ＬＥＤの実装間隔を狭くする必要がある。この場合、ＬＥＤが密集して放熱が悪くなり、温度上昇を招いてしまう。とくに、発光輝度を高めるためにＬＥＤに大きな電流を流す場合に問題になりやすい。
【課題を解決するための手段】
【０００５】
請求項１に記載の発明による光源装置は、回転可能な円筒部材と、円筒部材の外周に配設され、円筒部材の外径方向に第１の色の光を発する第１発光素子と、円筒部材上で第１発光素子と同一周上に配設され、円筒部材の外径方向に第１の色と異なる第２の色の光を発する第２発光素子と、円筒軸を回転軸として円筒部材を回転させる回転手段と、円筒部材の回転に伴い、第１発光素子または第２発光素子からの光が所定の外径方向へ色順次で出力されるように第１発光素子および第２発光素子を発光制御する制御手段とを備えることを特徴とする。
請求項２に記載の発明による光源装置は、回転可能な円筒部材と、円筒部材の窓に配設され、第１の色の光を透過する第１色フィルタと、円筒部材において第１色フィルタと同一周上の窓に配設され、第１の色と異なる第２の色の光を透過する第２色フィルタと、円筒部材の内周に配設される羽根部材と、第１の色および第２の色の成分を含む光を、第１色フィルタまたは第２色フィルタを透過するように円筒部材の所定の外径方向へ発する発光手段と、円筒軸を回転軸として円筒部材を回転させる回転手段とを備え、円筒部材の回転に伴い、発光手段からの光が外径方向へ色順次で出力されることを特徴とする。
請求項３に記載の発明による光源装置は、回転可能な円筒部材と、円筒部材の内周に配設され、円筒部材の内径方向に第１の色の光を発する第１発光素子と、円筒部材内で第１発光素子と同一周上に配設され、円筒部材の内径方向に第１の色と異なる第２の色の光を発する第２発光素子と、円筒軸を回転軸として円筒部材を回転させる回転手段と、円筒部材の回転に伴い、第１発光素子または第２発光素子からの光が円筒軸方向へ色順次で出力されるように第１発光素子および第２発光素子からの光を折り曲げる反射部材とを備えることを特徴とする。
請求項４に記載の発明による光源装置は、円筒部材と、円筒部材の内周に配設され、円筒部材の内径方向に第１の色の光を発する第１発光素子と、円筒部材内で第１発光素子と同一周上に配設され、円筒部材の内径方向に第１の色と異なる第２の色の光を発する第２発光素子と、円筒軸を回転軸として回転し、この回転に伴って第１発光素子または第２発光素子からの光が円筒方向へ色順次で出力されるように第１発光素子および第２発光素子からの光を折り曲げる反射部材とを備えることを特徴とする。
【発明の効果】
【０００６】
本発明によれば、小型で放熱効果が高い色順次出力の光源装置を提供できる。
【発明を実施するための最良の形態】
【０００７】
本発明による光源は、たとえば、プロジェクタの光源として用いられる。プロジェクタは、光源によって液晶パネルやデジタルマイクロミラーデバイスなどで構成されるライトバルブを照明し、ライトバルブで生成される変調光による像を投影する。単色の光源を用いると単色の投影像が得られ、光の３原色を色順次で切替える光源を用いると、１系統のライトバルブからカラーの投影像が得られる。
【０００８】
以下、図面を参照して本発明を実施するための最良の形態について説明する。
（第一の実施形態）
図１は、本発明の第一の実施形態による液晶プロジェクタの内部配置図である。図１において、液晶プロジェクタは、色順次光源１１と、フレネルレンズ１２と、偏光板１３と、ＰＢＳ（偏光ビームスプリッタ）ブロック１４と、反射型液晶素子（以下、ＬＣＯＳと呼ぶ）１５と、投影レンズ１６と、制御回路１７とを含む。
【０００９】
色順次光源１１は色順次光を図１において下方向へ射出する。色順次光はフレネルレンズ１２によって略平行光にされた後、偏光板１３へ入射される。偏光板１３は入射光を直線偏光に変換（または抽出）し、変換（または抽出）後の偏光光をＰＢＳブロック１４へ向けて射出する。
【００１０】
ＰＢＳブロック１４は、入射光の光軸Ａｘに対して４５度の角度をなす偏光分離部１４ａを、２つの三角プリズムで挟んだ偏光ビームスプリッタである。ＰＢＳブロック１４へ入射された偏光光束（たとえばＰ偏光）は、ＰＢＳブロック１４を透過してＬＣＯＳ１５を照明する。ＬＣＯＳ１５は、画像などを再生するために制御回路１７から供給される駆動信号によって駆動される。具体的には、画像の濃淡に応じた電圧が液晶層に対して画素ごとに印加され、電圧が印加された液晶層の液晶分子の配列が変わり、当該液晶層の光の透過率が画素単位で変化する。
【００１１】
ＬＣＯＳ１５の液晶層を透過する光は、ＬＣＯＳ１５へ入射されると当該液晶層を下向きに進行し、ＬＣＯＳ１５の反射面で反射された後、液晶層を上向きに進行してＬＣＯＳ１５から射出され、ＰＢＳブロック１４へ再度入射される。電圧が印加された液晶層は位相板として機能するので、ＰＢＳブロック１４へ再度入射される光は、Ｓ偏光である変調光とＰ偏光である非変調光との混合光である。ＰＢＳブロック１４は、再入射された光束のうちＳ偏光成分である変調光のみを偏光分離部１４ａで反射し、左方の投影レンズ１６へ向けて射出する。投影レンズ１６は、ＬＣＯＳ１５による変調光が形成する光像をスクリーンなどへ向けて投射する。
【００１２】
図２は、色順次光源１１の要部構成を説明する図である。色順次光源１１では、固定部１１ｂおよび固定部１１ｃ間に、円筒形状の回転部１１ａが円筒軸である中心線Ｏを回転中心として回転自在に保持される。回転部１１ａの外周には、発光素子としてＬＥＤ１、ＬＥＤ２、およびＬＥＤ３（不図示）が略同一周上に中心角約１２０度ごとに外周面に突起して配設される。
【００１３】
図３は、図２をさらに詳細に説明する図である。固定部１１ｂはドーナツ状に構成され、中心部の穴ＨにモーターＭが嵌入される。モーターＭは、制御回路１７からの制御信号に応じて回転制御される。固定部１１ｃは円盤状に構成され、中心部に軸受けＱが設けられている。
【００１４】
回転部１１ａには、中心線Ｏに沿って上部および下部に回転軸が設けられている。回転部１１ａの上部の回転軸にはモータＭの回転軸が連結され、回転部１１ａの下部の回転軸は固定部１１ｃの軸受けＱで受けられる。これにより、モーターＭによって回転部１１ａが回転駆動される。ＬＥＤ１〜ＬＥＤ３は発光ダイオードで構成され、たとえば、ＬＥＤ１はＲ（赤）色光を発し、ＬＥＤ２はＧ（緑）色光を発し、ＬＥＤ３（不図示）はＢ（青）色光を発する。
【００１５】
ＬＥＤ１〜ＬＥＤ３のそれぞれには、給電用の配線パターンＰａを介して駆動電流が供給される。配線パターンＰａは、それぞれ回転部１１ａの上部でブラシＢｕに接続される一方、回転部１１ａの下部でブラシＢｄに接続される。ブラシＢｕは固定部１１ｂの下面に当接し、ブラシＢｄは固定部１１ｃの上面に当接する。これにより、回転部１１ａが回転すると、ブラシＢｕおよびＢｄはそれぞれ固定部１１ｂの下面および固定部１１ｃの上面を摺動する。
【００１６】
固定部１１ｂの下面および固定部１１ｃの上面には、対応する所定領域においてそれぞれ周方向に配線パターンＰｂおよびＰｃが設けられている。配線パターンＰｂおよびＰｃ間には、制御回路１７から駆動電流が供給される。ＬＥＤへの電流値は制限抵抗Ｒによって決められる。制限抵抗Ｒは、回転部において各色のＬＥＤごとに個別に配設してもよいし、共通回路上に電流値切換手段を設けて各色のＬＥＤごとに切換えるように構成してもよい。制御回路１７によって駆動電流が供給可能にされているとき、回転部１１ａが回転して配線パターンＰｂおよびＰｃ間がブラシＢｕ、Ｂｄおよび配線パターンＰａで接続されると、配線パターンＰａを介して駆動電流の供給を受けたＬＥＤ１〜ＬＥＤ３のいずれかが発光する。図３の例では、回転部１１ａが１回転する間にＬＥＤ１〜ＬＥＤ３がそれぞれ１回ずつ発光し、Ｒ色光、Ｇ色光およびＢ色光が色順次でパルス発光する。ＬＥＤ１〜ＬＥＤ３からの発光光は、それぞれ回転部１１ａの外径方向（図２においては左側方向であって、図３においては円筒軸Ｏから配線パターンＰｂ、Ｐｃ側へ向かう向き）へ射出されるように調節されている。
【００１７】
以上説明した第一の実施形態によれば、次の作用効果が得られる。
（１）回転する円筒形状の回転部１１ａの外周の略同一周上に、Ｒ色光を発するＬＥＤ１、Ｇ色光を発するＬＥＤ２、およびＢ色光を発するＬＥＤ３をそれぞれ配設する。回転部１１ａを回転させながら、ＬＥＤ１〜ＬＥＤ３を色順次に発光させる。従来技術のようにＬＥＤを配設した円盤に比べて、径が同じでも回転部１１ａの表面積が広いので、ＬＥＤ１〜ＬＥＤ３で発生した熱を放熱する効果を高めることができる。
【００１８】
（２）ＬＥＤ１〜ＬＥＤ３をそれぞれ時分割で発光させるので、全ＬＥＤを同時に常時発光する場合に比べて発熱量、消費電力を抑えることができる。
【００１９】
（３）回転部１１ａの回転によってＬＥＤ１〜ＬＥＤ３の周囲に気流を生じさせるので、冷却するためにＬＥＤ１〜ＬＥＤ３へ送風するファンなどの送風部材を設けなくてもよい。
【００２０】
色順次光源１１をプロジェクタの光源として使用する場合、光源の発光輝度を高めると明るく高品位の投影像が得られる。一般に、光源の発光輝度を高めるために発光素子に供給する電流を増やすと当該発光素子の発熱量が大きくなる。発生した熱は発光素子の光量低下や寿命短縮などを引き起こすおそれがあるので、発光素子の使用温度環境を適切に保つように冷却することが好ましい。このため、通常の電子機器では放熱部材や送風部材を用いて冷却が行われる。第一の実施形態では、発光素子を同一径の平面基板（円形基板）より表面積を広くとれる円筒部材に実装して放熱効果を高めた上で、円筒部材を回転させることによって送風部材を用いずに放熱効果をさらに高めている。
【００２１】
（第二の実施形態）
図４は、本発明の第二の実施形態による液晶プロジェクタの内部配置図である。図１に比べて、色順次光源１１の代わりに色順次光源１１０が配設される点が異なる。図５は、色順次光源１１０の要部構成を説明する図である。色順次光源１１０では、固定部１１０ｂおよび固定部１１０ｃ間に、円筒形状の回転部１１０ａが円筒軸である中心線Ｏを回転中心として回転自在に保持される。回転部１１０ａの外周には、略同一周上に中心角約１２０度ごとに窓状の色フィルタＦＩＬ１、ＦＩＬ２、およびＦＩＬ３（不図示）がそれぞれ配設される。色フィルタＦＩＬ１〜ＦＩＬ３は、たとえば、それぞれがＲ色光を透過、Ｇ色光を透過、Ｂ色光を透過するように構成されている。
【００２２】
固定部１１０ｂはドーナツ状に構成され、第一の実施形態と同様に、中心部の穴にモーターＭ（不図示）が嵌入されている。モーターＭは、制御回路１７からの制御信号に応じて回転制御される。固定部１１０ｃは円盤状に構成され、第一の実施形態と同様に、中心部に軸受けＱ（不図示）が設けられている。
【００２３】
回転部１１０ａには、第一の実施形態と同様に、中心線Ｏに沿って上部および下部に回転軸が設けられている。回転部１１０ａの上部の回転軸にはモータＭの回転軸が連結され、回転部１１０ａの下部の回転軸は固定部１１０ｃの軸受けＱで受けられる。これにより、モーターＭによって回転部１１０ａが回転駆動される。
【００２４】
図５において、固定部１１０ｃの上面に白色光を発するＬＥＤ４が配設されている。ＬＥＤ４から発せられる光の向きは、回転部１１０ａの中から窓状の色フィルタＦＩＬ１、ＦＩＬ２、およびＦＩＬ３（不図示）のいずれかを介して回転部１１０ａの外径方向（図５において左側方向）へ射出されるように調節されている。
【００２５】
ＬＥＤ４には制御回路１７から駆動電流が供給される。制御回路１７は、回転部１１０ａの回転に同期させて、ＬＥＤ４の発光面側の空間を色フィルタＦＩＬ１〜３が通過するタイミングでＬＥＤ４がパルス発光するようにＬＥＤ４に駆動電流を供給する。これにより、色フィルタＦＩＬ１、ＦＩＬ２、およびＦＩＬ３のいずれかを通過した光が回転部１１０ａの外側へ射出される。図５の例では、回転部１１０ａが１回転する間にＬＥＤ４を３回パルス発光させることにより、Ｒ色光、Ｇ色光およびＢ色光が１回ずつ色順次で射出される。
【００２６】
図６は、回転部１１０ａの内部を説明する断面図である。回転部１１０ａは内部に羽根部材ＦＩＮを有し、回転部１１０ａが回転すると気流を発生させる。第二の実施形態では、この気流によってＬＥＤ４を冷却する。なお、羽根部材ＦＩＮを回転部１１０ａ内で螺旋状に構成してもよい。螺旋形状に構成することにより、ＬＥＤ４を冷却する気流を回転部１１０ａ内で中心線Ｏ方向に流し、冷却効果を高めることができる。
【００２７】
以上説明した第二の実施形態によれば、次の作用効果が得られる。
（１）回転する円筒形状の回転部１１０ａの略同一周上の窓に、Ｒ色光を透過する色フィルタＦＩＬ１、Ｇ色光を透過する色フィルタＦＩＬ２、およびＢ色光を透過する色フィルタＦＩＬ３をそれぞれ配設する。回転部１１０ａを回転させながら回転部１１０ａ内で白色ＬＥＤ４をパルス発光させることにより、ＬＥＤ４からの光を色フィルタＦＩＬ１〜ＦＩＬ３のそれぞれから色順次に透過させる。従来技術のように色別に発光素子を備える場合に比べて、少ない発光素子で構成することができる。
【００２８】
（２）第二の実施形態では白色ＬＥＤ４を常時発光させたままでも色順次光が得られる。しかしながら、常時発光させずに時分割発光させるようにしたので、発熱量、消費電力を抑えることができる。
【００２９】
（３）回転部１１０ａの内部に羽根部材ＦＩＮを設け、回転部１１０ａの回転によって発生する気流でＬＥＤ４を冷却する。ファンなどの送風部材を新たに設けなくても冷却できるので、回転部１１０ａの径を小さく小型に構成することができる。
【００３０】
回転部１１０ａの内部に羽根部材ＦＩＮを設ける代わりに、気流を発生させる凹凸を設けてもよい。回転部１１０ａを高速回転することによって羽根部材ＦＩＮによる風切音が気になる場合は、羽根部材ＦＩＮに比べて表面形状がなめらかな凹凸形状とすることで、音の発生を抑えることができる。
【００３１】
（変形例１）  
白色ＬＥＤ４を円筒形状の回転部１１０ａ内の空間に配設する例を説明したが、固定部１１０ｃの上面に配設するように構成してもよい。この場合には、ＬＥＤ４からの光を中心線Ｏに沿って上方向（固定部１１０ｃから回転部１１０ａ内に向けて）へ射出させる。固定部１１０ｃ上にはさらに、ＬＥＤ４からの光を回転部１１０ａの外径方向へ折り曲げる反射ミラーを配設する。制御回路１７は、回転部１１０ａの回転に同期させて、反射ミラーの射出光側の空間を色フィルタＦＩＬ１〜３が通過するタイミングでＬＥＤ４がパルス発光するようにＬＥＤ４に駆動電流を供給する。これにより、色フィルタＦＩＬ１、ＦＩＬ２、およびＦＩＬ３のいずれかを通過した光が回転部１１０ａの外側へ射出される。
【００３２】
（第三の実施形態）
図７は、本発明の第三の実施形態による液晶プロジェクタの内部配置図である。図１に比べて、色順次光源１１の代わりに色順次光源１２０が配設され、フレネルレンズ１２が省略されている点が異なる。図８は、色順次光源１２０の要部構成を説明する図である。色順次光源１２０は、固定部１２０ｃの上に円筒形状の回転部１２０ａが円筒軸である中心線Ｏを回転中心として回転自在に保持される。回転部１２０ａの内周の略同一周上には、中心角約１２０度ごとにＬＥＤ１、ＬＥＤ２、およびＬＥＤ３（不図示）がそれぞれ内周面に突起して配設される。
【００３３】
ＬＥＤ１〜ＬＥＤ３は発光ダイオードで構成され、たとえば、ＬＥＤ１はＲ色光を発し、ＬＥＤ２はＧ色光を発し、ＬＥＤ３（不図示）はＢ色光を発する。ＬＥＤ１、ＬＥＤ２、およびＬＥＤ３は、第一の実施形態と同様に、回転部１１０ａが１回転する間にそれぞれが１回ずつパルス発光するように構成される。
【００３４】
固定部１２０ｃはドーナツ状に構成され、第一の実施形態と同様に、中心部の穴にモーターＭ（不図示）が嵌入されている。モーターＭは、制御回路１７からの制御信号に応じて回転制御される。回転部１２０ｂは回転部１２０ａと一体にドーナツ形状に構成され、その中央部に集光部材１２１が配設される。
【００３５】
図８において、固定部１２０ｃの上面にはさらに、反射ミラーＭｉが配設されている。反射ミラーＭｉの向きは、回転部１２０ａ内部の空間において、ＬＥＤ１、ＬＥＤ２、およびＬＥＤ３（不図示）から射出された光を回転部１２０ａの円筒軸方向（図８において上側）へ折り曲げて射出するように調節されている。以上により、Ｒ色光、Ｇ色光およびＢ色光が色順次で回転部１２０ａの円筒軸方向へ出力される。
【００３６】
集光部材１２１は、反射ミラーＭｉで折り曲げられた色順次光を略平行光にする。集光部材１２１が設けられていることにより、反射ミラーＭｉは、Ｒ色光、Ｇ色光およびＢ色光を中心線Ｏから外れた位置へ折り曲げるように構成してよい。
【００３７】
なお、図８に例示した色順次光源１２０は、上下反対にして図７の液晶プロジェクタに使用される。
【００３８】
以上説明した第三の実施形態によれば、次の作用効果が得られる。
（１）回転する円筒形状の回転部１２０ａの内周の略同一周上に、Ｒ色光を発するＬＥＤ１、Ｇ色光を発するＬＥＤ２、およびＢ色光を発するＬＥＤ３を配設する。回転部１２０ａを回転させながら、ＬＥＤ１〜ＬＥＤ３のそれぞれを色順次にパルス発光させる。第一の実施形態と同様に、回転部１２０ａの表面積が広いので、ＬＥＤ１〜ＬＥＤ３で発生した熱を放熱する効果が高い。
【００３９】
（２）第三の実施形態ではＬＥＤ１〜ＬＥＤ３を常時発光させたままでも色順次光が得られる。しかしながら、第一の実施形態と同様に時分割発光させるようにしたので、発熱量、消費電力を抑えることができる。
【００４０】
（３）第一の実施形態と同様に、回転部１２０ａの回転によってＬＥＤ１〜ＬＥＤ３の周囲に気流を生じさせるので、ＬＥＤ１〜ＬＥＤ３へ送風するためにファンなどの送風部材を設けなくてもよい。
【００４１】
（４）固定部１２０ｃの上面に配設される反射ミラーＭｉによってＬＥＤ１、ＬＥＤ２、およびＬＥＤ３（不図示）から射出された光を折り曲げ、回転部１２０ａの円筒軸方向（図８において上側）へ色順次光を射出するようにしたので、たとえば、図７の液晶プロジェクタをペンシル形状の筒状筐体に組み込むことが容易になる。
【００４２】
（第四の実施形態）
図９は、本発明の第四の実施形態による液晶プロジェクタの内部配置図である。図７に比べて、色順次光源１２０の代わりに色順次光源１３０が配設されている点が異なる。図１０は、色順次光源１３０の要部構成を説明する図である。色順次光源１３０は、円筒形状の固定部１３０ａと、固定部１３０ａの円筒軸である中心線Ｏを回転中心として回転自在な円盤形状の回転部１３０ｂとで構成される。回転部１３０ａの内周の略同一周上には、図８と同様に、中心角約１２０度ごとにＬＥＤ１、ＬＥＤ２、およびＬＥＤ３（不図示）が内周面に突起して配設される。
【００４３】
ＬＥＤ１〜ＬＥＤ３はそれぞれ発光ダイオードで構成され、たとえば、ＬＥＤ１はＲ色光を発し、ＬＥＤ２はＧ色光を発し、ＬＥＤ３（不図示）はＢ色光を発する。ＬＥＤ１、ＬＥＤ２、およびＬＥＤ３は、第一、第三の実施形態と同様に、回転部１３０ｂが１回転する間にそれぞれが１回ずつパルス発光するように構成される。
【００４４】
回転部１３０ｂはモーターＭ（不図示）によって回転駆動される。モーターＭは、制御回路１７からの制御信号に応じて回転制御される。回転部１３０ｂの上面には、反射ミラーＭｉが配設されている。反射ミラーＭｉの向きは、固定部１３０ａ内部の空間においてＬＥＤ１、ＬＥＤ２、およびＬＥＤ３（不図示）から射出された光を回転部１３０ｂが回転する軸方向（図１０において上側）へ折り曲げて射出するように調節されている。以上により、Ｒ色光、Ｇ色光およびＢ色光が色順次で回転部１３０ｂが回転する軸方向へ出力される。
【００４５】
固定部１３０ａ内の上部には集光部材１３１が配設される。集光部材１３１は、反射ミラーＭｉで折り曲げられた色順次光を略平行光にする。したがって、反射ミラーＭｉは、Ｒ色光、Ｇ色光およびＢ色光を中心線Ｏから外れた位置へ折り曲げるように構成してよい。
【００４６】
なお、図１０に例示した色順次光源１３０は、上下反対にして図９の液晶プロジェクタに使用される。
【００４７】
以上説明した第四の実施形態によれば、次の作用効果が得られる。
（１）円筒形状の固定部１３０ａの内周に、Ｒ色光を発するＬＥＤ１、Ｇ色光を発するＬＥＤ２、およびＢ色光を発するＬＥＤ３を配設する。第一、第三の実施形態と同様に、固定部１３０ａの表面積が広いので、ＬＥＤ１〜ＬＥＤ３で発生した熱を放熱する効果が高い。
【００４８】
（２）第四の実施形態ではＬＥＤ１〜ＬＥＤ３を常時発光させたままでも色順次光が得られる。しかしながら、第一、第三の実施形態と同様に時分割発光させるようにしたので、発熱量、消費電力を抑えることができる。
【００４９】
（３）固定部１３０ａの内部で反射ミラーＭｉを回転させることによってＬＥＤ１〜ＬＥＤ３の周囲に気流を生じさせるので、ＬＥＤ１〜ＬＥＤ３へ送風するためにファンなどの送風部材を設けなくてもよい。
【００５０】
（４）回転部１３０ｂの上面に配設される反射ミラーＭｉによってＬＥＤ１、ＬＥＤ２、およびＬＥＤ３（不図示）から射出された光を折り曲げ、回転部１３０ｂが回転する円筒軸の方向へ色順次光を射出するようにしたので、たとえば、図９の液晶プロジェクタをペンシル形状の筒状筐体に組み込むことが容易になる。
【００５１】
（変形例２）
以上の説明では、各実施形態における回転部が１回転するごとに、Ｒ色光、Ｇ色光およびＢ色光が色順次でそれぞれ１回ずつ出力される例を説明した。この代わりに、回転部に配設されるＬＥＤの組もしくは色フィルタの組を増やすことにより、回転部１回転につき色順次光が各それぞれ２回以上出力される構成としてもよい。
【００５２】
（変形例３）
上述した説明では、色順次光をＲ（赤）色、Ｇ（緑）色、Ｂ（青）色の順に３色切り替える例を説明したが、切替え順序は上記例と異ならせてもよい。さらに、３色に限らず２色や４色以上の多色構成にしてもよい。たとえば、色順次光をＲ（赤）色、Ｇ（緑）色、Ｂ（青）色、Ｗ（白）色の順に４色切り替える構成としたり、色順次光をＲ１（赤第一）色、Ｒ２（赤第二）色、Ｇ１（緑第一）色、Ｇ２（緑第二）色、Ｂ１（青第一）色、Ｂ２（青第二）色の順に６色切り替える構成とすれば、３色切替えの場合に比べて、表現可能な色空間を広げることができる。
【００５３】
以上の説明はあくまで一例であり、発明を解釈する上で、上記の実施形態の構成要素と本発明の構成要素との対応関係に何ら限定されるものではない。
【図面の簡単な説明】
【００５４】
【図１】第一の実施形態による液晶プロジェクタの内部配置図である。
【図２】色順次光源の要部構成を説明する図である。
【図３】図２をさらに詳細に説明する図である。
【図４】第二の実施形態による液晶プロジェクタの内部配置図である。
【図５】色順次光源の要部構成を説明する図である。
【図６】回転部の内部を説明する断面図である。
【図７】第三の実施形態による液晶プロジェクタの内部配置図である。
【図８】色順次光源の要部構成を説明する図である。
【図９】第四の実施形態による液晶プロジェクタの内部配置図である。
【図１０】色順次光源の要部構成を説明する図である。
【符号の説明】
【００５５】
１１…色順次光源
１１ａ，１１０ａ，１２０ａ，１２０ｂ，１３０ｂ…回転部
１１ｂ，１１ｃ，１１０ｂ，１１０ｃ，１２０ｃ，１３０ａ…固定部
１２…フレネルレンズ
１３…偏光板
１４…ＰＢＳブロック
１５…ＬＣＯＳ
１６…投影レンズ
１７…制御回路
ＦＩＬ１〜３…色フィルタ
ＦＩＮ…羽根部材
ＬＥＤ１〜４…発光素子
Ｍ…モーター
Ｍｉ…反射ミラー
【図１】
2007134269.tif 000003
【図２】
2007134269.tif 000004
【図３】
2007134269.tif 000005
【図４】
2007134269.tif 000006
【図５】
2007134269.tif 000007
【図６】
2007134269.tif 000008
【図７】
2007134269.tif 000009
【図８】
2007134269.tif 000010
【図９】
2007134269.tif 000011
【図１０】
2007134269.tif 000012